(57)【特許請求の範囲】
【請求項１】
屋外空気を屋内に供給する給気部を被給気室に設けると共に、屋内空気を屋外に排出する排気部を設けて、前記給気部から前記排気部に向かう屋内空気の流通経路が形成された住宅内において、
前記被給気室に、屋外空気と屋内空気との両方又は何れか一方を吸引して清浄し屋内に吹き出すように構成された空気清浄装置を設置し、
屋内空気の状態を検知する検知部の検知結果に基づいて前記空気清浄装置の出力を制御する制御手段を備えた住宅換気システムであって、
前記検知部として、前記屋内空気の流通経路に設置された流通経路側検知部を備え、
前記空気清浄装置は、屋外に開口する屋外空気吸引口を通じて屋外空気を吸引する給気ファン装置と、前記被給気室に開口する屋内空気吸引口を通じて屋内空気を吸引する清浄ファン装置と、前記給気ファン装置で吸引した屋外空気と前記清浄ファン装置で吸引した屋内空気との混合空気を清浄するフィルタと、を備え、
前記制御手段は、前記給気ファン装置及び前記清浄ファン装置の出力を各別に調整することにより、屋外空気の吸引量に比べて屋内空気の吸引量が大きい状態から屋内空気に比べて屋外空気の吸引量が大きい状態までに渡って、屋外空気と屋内空気との吸引量比率を調整自在であり、
前記空気清浄装置は、前記吸引量比率が調整された前記混合空気を、前記フィルタにより清浄して前記被給気室に開口する吹出口から吹き出すように構成されていることを特徴とする住宅換気システム。
【請求項２】
前記流通経路側検知部が、前記屋内空気の流通経路において前記被給気室の出口付近から前記排気部までの領域に設置されている請求項１に記載の住宅換気システム。
【請求項３】
前記検知部として、前記空気清浄装置に設置され吸引される屋内空気の状態を検知する本体側検知部を備えた請求項１又は２に記載の住宅換気システム。
【請求項４】
前記制御手段が、前記検知部で検知された屋内空気の状態から屋内空気の汚れ度合いを判定して当該汚れ度合いに基づいて前記空気清浄装置の出力を決定する形態で、前記空気清浄装置の出力を制御するように構成されている請求項１〜３の何れか一項に記載の住宅換気システム。
【請求項５】
前記排気部に、屋内空気を吸引して屋外に排出する排気ファン装置を設置し、
前記制御手段が、前記流通経路側検知部の検知結果に加えて、前記排気ファン装置の運転状態に基づいて、前記空気清浄装置の出力を制御するように構成されている請求項１〜４の何れか一項に記載の住宅換気システム。
【請求項６】
前記排気ファン装置を設置した前記排気部が複数設けられて、前記屋内空気の流通経路が複数形成され、
前記流通経路側検知部が、複数の前記屋内空気の流通経路の夫々に対して複数設置され、
前記制御手段が、複数の前記流通経路側検知部の夫々の検知結果に加えて、複数の前記排気ファン装置の夫々の運転状態に基づいて、前記空気清浄装置の出力を制御するように構成されている請求項５に記載の住宅換気システム。
【請求項７】
前記制御手段が、前記検知部の検知結果に基づいて前記排気ファン装置の出力を制御するように構成されている請求項５又は６に記載の住宅換気システム。
【請求項８】
前記屋内空気の流通経路に配置されたドアの開閉状態を検知するドア開閉状態検知部を備え、
前記制御手段が、前記流通経路側検知部の検知結果に加えて、前記ドア開閉状態検知部の検知結果に基づいて、前記空気清浄装置の出力を制御するように構成されている請求項１〜７の何れか一項に記載の住宅換気システム。
【発明の詳細な説明】
【技術分野】
【０００１】
本発明は、屋外空気を屋内に供給する給気部を被給気室に設けると共に、屋内空気を屋外に排出する排気部を設けて、前記給気部から前記排気部に向かう屋内空気の流通経路が形成された住宅内において、
前記被給気室に、屋内空気を吸引して清浄し屋内に吹き出すように構成された空気清浄装置を設置し、
屋内空気の状態を検知する検知部の検知結果に基づいて前記空気清浄装置の出力を制御する制御手段を備えた住宅換気システムに関する。
【背景技術】
【０００２】
特に近年の高気密且つ高断熱な住宅内において、居室等に設けられた給気部により新鮮な屋外空気を屋内に供給し、トイレや浴室や天井等に設けられた排気部により汚れた屋内空気を屋外に排出する形態で、その給気部から排気部に向かう屋内空気の流通経路を計画的に形成する所謂計画換気構造が施されることがある。
そして、かかる計画換気構造を有する住宅内において、上記給気部が設けられた被給気室の屋内空気を清浄するために、その被給気室に、屋内空気を吸引して清浄し屋内に吹き出すように構成された空気清浄装置を設置してなる住宅換気システムが知られている。
また、このような住宅換気システムにおいて被給気室に設置される空気清浄装置としては、給気部に設置され、屋内空気に加えて屋外空気を吸引して清浄し屋内に吹き出すように構成されたもの（例えば、特許文献１を参照。）が利用されることがある。
【０００３】
従来の空気清浄装置としては、屋内空気の状態を検知する検知部を本体側やリモコン側に内蔵し、その検知部の検知結果に基づいて出力を制御する制御手段を備えたものが知られている（例えば、特許文献２〜４を参照。）。
そして、このような空気清浄装置は、本体側やリモコン側に内蔵された検知部に到達する屋内空気が汚れているときには、その検知部でその汚れた屋内空気の状態が検知され、制御手段でその汚れた屋内空気を清浄し得るものに出力が制御される。
【０００４】
【特許文献１】特開２００４−１６０３７４号公報（段落［００３４］〜段落［００３６］，図１等）
【特許文献２】特開平１１−２３０４２号公報（段落［００１０］、及び、段落［００３３］〜段落［００３５］等）
【特許文献３】実開平５−３６２１１号公報（請求項１、図１等）
【特許文献４】特開２０００−８８３２３号公報（請求項１、図１７等）
【発明の開示】
【発明が解決しようとする課題】
【０００５】
前述したように計画換気構造を有する住宅内における住宅換気システムにおいて、屋外空気を屋内に供給する給気部が設けられた被給気室に設置される空気清浄装置を、前述したように検知部が本体側に内蔵された従来の空気清浄装置として構成した場合には、被給気室の汚れた屋内空気が本体側に内蔵された検知部に到達しないことが原因で、制御手段による空気清浄装置の出力制御が適切に作動せず、その汚れた屋内空気が継続して、例えば被給気室とは別の箇所に設けられた排気部に向けて、被給気室から流出してしまうことがある。
【０００６】
特に、上記被給気室に設置される空気清浄装置が、前述したように屋外空気と屋内空気との両方又は何れか一方を吸引して清浄するべく、住宅内に形成される屋内空気の流通経路において最上流に位置する給気部に設置されるものである場合には、その空気清浄装置に内蔵された検知部で被給気室の汚れた屋内空気の状態を検知することは一層困難となり、その汚れた屋内空気が継続して排気部に向けて流出する可能性が高くなる。
【０００７】
また、上記空気清浄装置において、検知部をリモコン側に内蔵すれば、被給気室の屋内空気が比較的そのリモコン側に内蔵された検知部に到達し易くなるものの、リモコンの置き場所によっては、上記の検知部を本体側に内蔵した場合と同様に、被給気室の汚れた屋内空気がリモコン側に内蔵された検知部に到達せずに、その汚れた屋内空気が継続して排気部に向けて流出してしまう場合がある。
【０００８】
本発明は、上記の課題に鑑みてなされたものであり、その目的は、給気部により屋外空気を屋内に供給すると共に排気部により屋内空気を屋外に排出する形態で、その給気部から排気部に向かう屋内空気の流通経路を計画的に形成する計画換気構造を有する住宅内において、屋内空気の状態に基づいて被給気室に設置された空気清浄装置の出力を適切に制御し、被給気室から汚れた屋内空気が排気部に向けて流出することを抑制することができる住宅換気システムを実現する点にある。
【課題を解決するための手段】
【０００９】
上記目的を達成するための本発明に係る住宅換気システムは、屋外空気を屋内に供給する給気部を被給気室に設けると共に、屋内空気を屋外に排出する排気部を設けて、前記給気部から前記排気部に向かう屋内空気の流通経路が形成された住宅内において、
前記被給気室に、屋外空気と屋内空気との両方又は何れか一方を吸引して清浄し屋内に吹き出すように構成された空気清浄装置を設置し、
屋内空気の状態を検知する検知部の検知結果に基づいて前記空気清浄装置の出力を制御する制御手段を備えた住宅換気システムであって、その第１特徴構成は、
前記検知部として、前記屋内空気の流通経路に設置された流通経路側検知部を備え、
前記空気清浄装置は、屋外に開口する屋外空気吸引口を通じて屋外空気を吸引する給気ファン装置と、前記被給気室に開口する屋内空気吸引口を通じて屋内空気を吸引する清浄ファン装置と、前記給気ファン装置で吸引した屋外空気と前記清浄ファン装置で吸引した屋内空気との混合空気を清浄するフィルタと、を備え、
前記制御手段は、前記給気ファン装置及び前記清浄ファン装置の出力を各別に調整することにより、屋外空気の吸引量に比べて屋内空気の吸引量が大きい状態から屋内空気に比べて屋外空気の吸引量が大きい状態までに渡って、屋外空気と屋内空気との吸引量比率を調整自在であり、
前記空気清浄装置は、前記吸引量比率が調整された前記混合空気を、前記フィルタにより清浄して前記被給気室に開口する吹出口から吹き出すように構成されている点にある。
【００１０】
上記第１特徴構成によれば、上記空気清浄装置が設置された被給気室の屋内空気の多くが、その被給気室に設けられた給気部から被給気室又は被給気室とは別の箇所に設けられた排気部に向かう屋内空気の流通経路に沿って流通するので、上記検知部としてその屋内空気の流通経路に設置された上記流通経路側検知部に、被給気室の多くの屋内空気が通過することになる。
従って、被給気室の屋内空気が汚れている場合に、上記流通経路側検知部で、上記流通経路側検知部で、比較的確実にその汚れた屋内空気の状態を検知して制御手段で空気清浄装置の出力をその汚れた屋内空気を清浄し得るものに適切に制御することができるので、被給気室から汚れた屋内空気が排気部に向けて流出することを抑制することができる。
【００１１】
特に、被給気室の空気清浄装置が、上記のように屋内空気の流通経路において最上流に位置する給気部に設置されるものとして構成されている場合でも、流通経路側検知部で確実に被給気室の汚れた屋内空気の状態を検知して、制御手段で空気清浄装置の出力をその汚れた屋内空気を清浄し得るものに適切に制御し、被給気室から汚れた屋内空気が排気部に向けて流出することを抑制することができる。
【００１２】
また、この特徴構成によれば、空気清浄装置が屋外空気と屋内空気との吸引量比率を例えば一方側のみを吸引する状態を含む形態で調整自在に構成されていることで、屋外空気の吸引量に比べて屋内空気の吸引量を増加させることで屋内空気の清浄を積極的に行う状態から、屋内空気に比べて屋外空気の吸引量を増加させることで積極的に新鮮な屋外空気を屋内に供給して被給気室を含む住宅内の換気を積極的に行う状態に渡って、上記吸引量比率を必要に応じて変更することができる。
【００１３】
本発明に係る住宅換気システムの第２特徴構成は、前記流通経路側検知部が、前記屋内空気の流通経路において前記被給気室の出口付近から前記排気部までの領域に設置されている点にある。
【００１４】
上記第２特徴構成によれば、被給気室において出口付近にある屋内空気を含む略全ての屋内空気は、被給気室とは別の箇所に設けられた排気部に向かう屋内空気の流通経路において被給気室の出口付近から排気部までの領域に設置された流通経路側検知部を通過することになる。従って、被給気室の屋内空気が汚れている場合に、その領域に設置された流通経路側検知部で、より確実に被給気室の汚れた屋内空気の状態を検知することができ、被給気室から汚れた屋内空気が排気部に向けて流出することを一層抑制することができる。
【００１５】
本発明に係る住宅換気システムの第３特徴構成は、前記検知部として、前記空気清浄装置に設置され吸引される屋内空気の状態を検知する本体側検知部を備えた点にある。
【００１６】
上記第３特徴構成によれば、上記本体側検知部を備えることで、前述した流通経路側検知部で汚れた屋内空気の状態を検知していなくても、空気清浄装置が吸引した屋内空気が汚れている場合には、その本体側検知でその汚れた屋内空気の状態を検知し、制御手段で空気清浄装置の出力をその汚れた屋内空気を清浄し得るものに適切に制御することができる。また、この特徴構成の場合、本体側検知部と流通経路側検知部との両方の検知結果を利用するので、より適切に屋内空気を清浄することができる。
【００１７】
本発明に係る住宅換気システムの第４特徴構成は、前記制御手段が、前記検知部で検知された屋内空気の状態から屋内空気の汚れ度合いを判定して当該汚れ度合いに基づいて前記空気清浄装置の出力を決定する形態で、前記空気清浄装置の出力を制御するように構成されている点にある。
【００１８】
上記第４特徴構成によれば、空気清浄装置において例えば屋内空気の吸引量に相当する出力が、検知部で検知された屋内空気の状態から判定した屋内空気の汚れ度合いに基づいて決定される。よって、屋内空気の汚れ度合いが高い場合には、空気清浄装置を、その汚れた屋内空気を十分に清浄し得る程度の高出力で運転し、一方、屋内空気の汚れ度合いが低い場合には、空気清浄装置を、停止を含む低出力で運転して、省エネルギ性の向上を図ることができる。
【００１９】
本発明に係る住宅換気システムの第５特徴構成は、前記排気部に、屋内空気を吸引して屋外に排出する排気ファン装置を設置し、
前記制御手段が、前記流通経路側検知部の検知結果に加えて、前記排気ファン装置の運転状態に基づいて、前記空気清浄装置の出力を制御するように構成されている点にある。
【００２０】
上記第５特徴構成によれば、制御手段により、流通経路側検知部で検知された流通経路における屋内空気の状態に加えて、その流通経路における屋内空気の流通状態の変化要因となる排気ファン装置の運転状態に基づいて、空気清浄装置の出力を適切に制御することができる。
よって、排気部に設置された排気ファン装置の運転状態が変化して流通経路における屋内空気の流通状態が変化することで、流通経路側検知部の検知結果が変化してしまう場合でも、その屋内空気の状態を適切に判断し、空気清浄装置の出力を適切に制御することができる。
【００２１】
本発明に係る住宅換気システムの第６特徴構成は、前記排気ファン装置を設置した前記排気部が複数設けられて、前記屋内空気の流通経路が複数形成され、
前記流通経路側検知部が、複数の前記屋内空気の流通経路の夫々に対して複数設置され、
前記制御手段が、複数の前記流通経路側検知部の夫々の検知結果に加えて、複数の前記排気ファン装置の夫々の運転状態に基づいて、前記空気清浄装置の出力を制御するように構成されている点にある。
【００２２】
上記第６特徴構成によれば、制御手段により、複数の流通経路側検知部の夫々で検知された複数の流通経路の夫々における屋内空気の状態に加えて、その複数の流通経路の夫々における屋内空気の流通状態の変化要因となる複数の排気ファン装置の夫々の運転状態に基づいて、空気清浄装置の出力を適切に制御することができる。
よって、複数の排気部の夫々に設置された排気ファン装置の運転状態が変化して、複数の流通経路の夫々における屋内空気の流通状態が変化することで、複数の流通経路側検知部の夫々の検知結果が変化してしまう場合でも、その屋内空気の状態を適切に判断し、空気清浄装置の出力を適切に制御することができる。
【００２３】
本発明に係る住宅換気システムの第７特徴構成は、前記制御手段が、前記検知部の検知結果に基づいて前記排気ファン装置の出力を制御するように構成されている点にある。
【００２４】
上記第７特徴構成によれば、被給気室の屋内空気が汚れている場合に、検知部で、その汚れた屋内空気の状態を検知して、制御手段で、排気部に設置された排気ファン装置の出力を、流通経路における屋内空気の流通状態が被給気室からの汚れた屋内空気の流出を抑制し得る状態になるように、適切に制御することができる。
【００２５】
本発明に係る住宅換気システムの第８特徴構成は、前記屋内空気の流通経路に配置されたドアの開閉状態を検知するドア開閉状態検知部を備え、
前記制御手段が、前記流通経路側検知部の検知結果に加えて、前記ドア開閉状態検知部の検知結果に基づいて、前記空気清浄装置の出力を制御するように構成されている点にある。
【００２６】
上記第８特徴構成によれば、制御手段により、流通経路側検知部で検知された流通経路における屋内空気の状態に加えて、その流通経路における屋内空気の流通状態の変化要因となる上記のようなドアの開閉状態に基づいて、空気清浄装置の出力を適切に制御することができる。
よって、屋内空気の流通経路に配置されたドアが開閉されて流通経路における屋内空気の流通状態が変化することで、流通経路側検知部の検知結果が変化してしまう場合でも、その屋内空気の状態を適切に判断し、空気清浄装置の出力を適切に制御することができる。
【発明を実施するための最良の形態】
【００２７】
本発明に係る住宅換気システムの実施の形態について、図面に基づいて説明する。
図１は、住宅１００内に設置された住宅換気システムの概略構成を示しており、この本実施形態における住宅１００は、後述する計画換気構造を有し、内部に複数の室空間Ｒが設けられた２階建て住宅とされている。
ちなみに、この住宅１００内において、１階部分には、１階居室１、浴室３、及び、それらの間にある１階廊下５が室空間Ｒとして設けられており、２階部分には、２階居室２、トイレ４、それらの間にある２階廊下６とが室空間Ｒとして設けられており、上記の１階廊下５と２階廊下６とが階段７により通じている。
【００２８】
更に、住宅１００内に設置された１階居室１，２階居室２、浴室３、及び、トイレ４の夫々の室空間Ｒには、それら室空間Ｒの１階廊下５又は２階廊下６に対する出入り口に、ドア４１，４２，４３，４４が設けられている。
また、これらドア４１，４２，４３，４４は、その下方側が開放されていることから、閉状態とした場合でも、それら室空間Ｒへの屋内空気の若干の出入りは許容されている。
【００２９】
次に、この住宅１００が有する計画換気構造について説明を加える。
この住宅１００には、屋外空気を屋内に供給する給気部Ｉを特定の被給気室に設けると共に、屋内空気を屋外に排出する排気部Ｏを設けて、給気部Ｉから排気部Ｏに向かう屋内空気の流通経路Ｐが計画的に形成されており、かかる構造を所謂計画換気構造と呼ぶ。
【００３０】
具体的に、住宅１００においては、１階居室１が上記被給気室とされ、その１階居室１の外壁部に給気部Ｉとしての給気部１１が配置されている。
尚、２階居室２にも、屋外空気を屋内に供給する給気部１２が設けられているが、本実施形態では、住宅換気システムの特徴構成を説明する上で、上記１階居室１のみを上記被給気室と呼ぶ。
【００３１】
一方、排気部Ｏとしては、その被給気室である１階居室１とは別の室空間Ｒである浴室３の側壁部に設けられた排気部１３、同様に１階居室１とは別の室空間Ｒであるトイレ４の側壁部に設けられた排気部１４、及び、同様に１階居室１とは別の室空間Ｒである２階廊下６の天井部に設けられた排気部１６が配置されている。
尚、上記浴室３及びトイレ４に設けられた排気部１３，１４は、主に浴室３及びトイレ４の換気を行うために設置されるものであり、上記２階廊下６の天井部に設けられた排気部１６は、主に夏場などに２階廊下６の天井部付近及び天井裏８に滞留する熱気を屋外に排出するために設置されるものである。
【００３２】
具体的に、その被給気室としての１階居室１に設けられた給気部１１から夫々の排気部Ｏに向かう屋内空気の流通経路Ｐとしては、下記の３つの流通経路２１，２２，２３が形成されることになる。
第１流通経路２１が、１階居室１の側壁部に設けられた給気部１１から１階廊下５を通じて浴室３の側壁部に設けられた排気部１３に向けて形成される。
第２流通経路２２が、１階居室１の側壁部に設けられた給気部１１から１階廊下５、階段７及び２階廊下６を通じてトイレ４の側壁部に設けられた排気部１４に向けて形成される。
そして、第３流通経路２３が、１階居室１の側壁部に設けられた給気部１１から１階廊下５及び階段７を通じて２階廊下６の天井部に設けられた排気部１６に向けて形成される。
【００３３】
次に、住宅１００の住宅換気システムの各種構成について説明する。
この住宅換気システムは、夫々の構成の詳細については後述するが、上記被給気室である１階居室１に設置された空気清浄装置５０と、屋内空気の状態を検知する検知部ＰＳ，５８と、その検知部ＰＳ，５８の検知結果に基づいて空気清浄装置５０の出力を制御する制御手段として機能する制御装置６０とを備えて構成されており、更には、排気部Ｏに設置された排気ファン装置ＯＦと、屋内空気の流通経路Ｐに配置されたドアＤの開閉状態を検知するドア開閉状態検知部ＤＳ等を適宜備えている。
【００３４】
上記１階居室１に設置された空気清浄装置５０は、屋内空気を吸引して清浄し屋内に吹き出すように構成されている。更に、この空気清浄装置５０は、その屋内空気とともに屋外空気をも吸引して清浄し、屋内に吹き出すように構成されている。
【００３５】
具体的に、この空気清浄装置５０は、屋外に開口する屋外空気吸引口５１を通じて屋外空気を吸引する給気ファン装置５３と、屋内である１階居室１に開口する屋内空気吸引口５２を通じて屋内空気を吸引するための清浄ファン装置５４と、これら給気ファン装置５３で吸引した屋外空気と清浄ファン装置５４で吸引した屋内空気との混合体を通過させて清浄空気とするフィルタ５６とを備え、そのフィルタ５６を通過した後の清浄空気が１階居室１に開口する吹出口５７から１階居室１に吹き出されるように構成されている。
【００３６】
尚、上記フィルタ５６としては、公知のものを適宜利用することができ、例えば、空気中の有害ガスやニオイを超微細活性炭ハニカムで吸着・脱臭し、光触媒とプラチナ触媒とで分解清浄するように構成されたフィルタ等を利用することができる。
また、樹脂（例えばポリプロピレン）製の不織布をプリーツ状に織り込んだ形状の集塵用フィルタを設け、更に、その集塵用フィルタを帯電させて電気的な力で塵埃を捕集することもできる。
【００３７】
この空気清浄装置５０に設けられた給気ファン装置５３及び清浄ファン装置５４は、図示しないモータの回転数を変更することで出力（即ち、吸引量）を調整することができる。
よって、この制御装置６０は、給気ファン装置５３及び清浄ファン装置５４の夫々の出力を各別に調整することにより、例えば、屋外空気の吸引量に比べて屋内空気の吸引量を増加させることで屋内空気の清浄を積極的に行う状態（屋外空気を吸引せずに屋内空気のみを吸引する状態も含む。）から、屋内空気に比べて屋外空気の吸引量を増加させることで積極的に新鮮な屋外空気を屋内に供給して１階居室１を含む住宅１００内の換気を積極的に行う状態（屋内空気を吸引せずに屋外空気のみを吸引する状態も含む。）に渡って、屋外空気と屋内空気との吸引量比率を調整自在に構成されている。
【００３８】
屋内空気の状態を検知する検知部ＰＳ，５８としては、前述した複数の屋内空気の流通経路Ｐの夫々に設置された流通経路側検知部ＰＳと、空気清浄装置５０に設置され吸引される屋内空気の状態を検知する本体側検知部５８とが設けられており、夫々の検知部ＰＳ，５８の検知結果が制御装置６０に入力される。また、これら検知部ＰＳ，５８は、詳細については後述するが、タバコ臭などのニオイの強さ、塵埃濃度、温度、湿度等のように、屋内空気の汚れ度合いに関連する状態を検知するように構成されている。
【００３９】
この流通経路側検知部ＰＳは、被給気室としての１階居室１の汚れている屋内空気が流通経路Ｐに沿って流通した場合に、その汚れた屋内空気の状態を確実に検知するためのものであり、好ましくは、屋内空気の流通経路Ｐにおいて被給気室としての１階居室１の出口付近から排気部Ｏまでの領域に設置されている。
【００４０】
具体的に、流通経路側検知部ＰＳとしては、全ての流通経路Ｐが通過する１階居室１の出口付近に設置された出口側検知部３１、第１流通経路２１が通過する浴室３の入口付近に設置された浴室側検知部３３、第２流通経路２２が通過するトイレ４の入口付近に設置されたトイレ側検知部３４、第３流通経路２３が通過する２階廊下６の排気部１６付近に設置された天井側検知部３６とが設けられている。
【００４１】
上記出口側検知部３１は、１階居室１の出口付近として１階居室１側のドア４１の側壁下方部位に設置されている。そして、この出口側検知部３１には、１階居室１から夫々の流通経路Ｐに沿って流通する屋内空気が比較的確実に通過することになる。
尚、この出口側検知部３１は、例えば、一階居室１側のドア４１の側壁上方部位（符号３１’で示す部位）や、１階居室１側のドア４１付近の天井部位（符号３１”で示す部位）等のように、適宜１階居室１の出口付近において設置部位を変更しても構わない。
【００４２】
上記浴室側検知部３３は、第１流通経路２１において、１階居室１の出口付近から浴室３の排気部１３までの領域に設置されたものである。そして、この浴室側検知部３３には、１階居室１から流出し第１流通経路２１に沿って浴室３の排気部１３に向かう屋内空気が比較的確実に通過することになる。
上記トイレ側検知部３４は、第２流通経路２２において、１階居室１の出口付近からトイレ４の排気部１４までの領域に設置されたものである。そして、このトイレ側検知部３４には、１階居室１から流出し第２流通経路２２に沿ってトイレ４の排気部１４に向かう屋内空気が比較的確実に通過することになる。
上記天井側検知部３６は、第３流通経路２３において、１階居室１の出口付近から２階廊下６の天井部の排気部１６までの領域に設置されたものである。そして、この天井側検知部３６には、１階居室１から流出し第３流通経路２３に沿って２階廊下６の排気部１６に向かう屋内空気が比較的確実に通過することになる。
尚、これら流通経路側検知部３３，３４，３６についても、その設置位置を夫々の流通経路Ｐの領域内において適宜変更しても構わない。
【００４３】
一方、本体側検知部５８は、空気清浄装置５０の屋内空気吸引口５２の側方に設置されたものである。そして、この本体側検知部５８には、１階居室１において空気清浄装置５０に吸引される屋内空気が比較的確実に通過することになる。
【００４４】
複数の排気部Ｏの夫々には、屋内空気を吸引して屋外に排出する排気ファン装置ＯＦが設置されており、夫々の排気ファン装置ＯＦのＯＮ・ＯＦＦ状態や出力等の運転状態を示す運転状態信号が制御装置６０に入力される。
【００４５】
夫々の排気ファン装置ＯＦは、図示しない手動スイッチによりＯＮ・ＯＦＦ状態を切り換え自在、且つ、ＯＮ状態において図示しないモータの回転数を変更することで出力（即ち、吸引量）を調整することができる。
そして、制御装置６０は、前述した１階居室１の給気部１１に設置された給気ファン装置５３の出力と、ＯＮ状態の排気ファン装置ＯＦの出力とを、互いに追従させて調整して、その排気ファン装置ＯＦへ向かう流通経路における屋内空気の風量を調整自在に構成されている。例えば、給気ファン装置５３及び排気ファン装置ＯＦの出力を高出力とすれば、流通経路Ｐにおいて屋内空気を高風量で流通させることができ、逆に、給気ファン装置５３及び排気ファン装置ＯＦの出力を、停止を含む低出力とすれば、流通経路Ｐにおいて屋内空気を停止又は低風量で流通させることができる。
【００４６】
複数の屋内空気の流通経路Ｐの夫々に配置された夫々のドアＤには、その開閉状態を検知する近接スイッチ等からなるドア開閉状態検知部ＤＳが設けられており、このドア開閉状態検知部ＤＳの検知結果が制御装置６０に入力される。
【００４７】
次に、制御装置６０により実行される各種ファン装置５３，５４，ＯＦに対する制御フローについて、図２及び図３に基づいて説明する。
【００４８】
図２に示すように、制御装置６０は、本体側検知部５８及び複数の流通経路側検知部ＰＳの夫々の検知部ＰＳ，５８から入力された屋内空気の状態の検知結果（ステップ＃１）により、夫々の検知部ＰＳ，５８に到達した屋内空気の状態を認識する。
更に、制御装置６０は、夫々の排気ファン装置ＯＦから入力された運転状態信号（ステップ＃２）により、夫々の排気ファン装置ＯＦのＯＮ・ＯＦＦ状態や出力を認識し、また、夫々のドア開閉状態検知部ＤＳから入力されたドア開閉状態の検知結果（ステップ＃３）により、夫々のドア４１，４３，４４の開閉状態を認識する。
【００４９】
次に、制御装置６０は、本体側検知部５８の検知結果に加えて、複数の流通経路側検知部ＰＳの夫々で検知された屋内空気の状態から屋内空気の汚れ度合いを判定し（ステップ＃４）、その屋内空気の汚れ度合いに基づいて清浄ファン装置５４の出力を決定する（ステップ＃５）形態で、夫々の検知部ＰＳ，５８の検知結果に基づいて空気清浄装置５０の出力としての清浄ファン装置５４の出力を制御する。
【００５０】
よって、制御装置６０は、このような清浄ファン装置５４の出力制御を実行することにより、空気清浄装置５０に吸引される１階居室１の屋内空気が汚れて、本体側検知部５８でその汚れた屋内空気の状態が検知された場合にはもちろんのこと、１階居室１から流通経路Ｐに沿って流出する屋内空気が汚れて、何れかの流通経路側検知部ＰＳでその汚れた屋内空気の状態が検知された場合にも、清浄ファン装置５４の出力をその汚れた屋内空気を清浄し得るものに適切に制御する。
【００５１】
次に、上記ステップ＃４における屋内空気の汚れ度合いの判定方法について説明を加える。
屋内空気の状態を検知する夫々の検知部ＰＳ，５８には、屋内空気のタバコ臭などのニオイの強さを検知するニオイセンサ、屋内空気の塵埃濃度を検知する塵埃センサ、屋内空気の温度を検知する温度センサ、屋内空気の湿度を検知する湿度センサ等の、屋内空気の汚れ度合いに応じて出力が変化する各種センサが設置されており、制御装置６０は、これらのセンサの出力により屋内空気の汚れ度合いを判定することができる。
尚、本実施形態では、一の検知部ＰＳ，５８に複数種のセンサを設けるが、夫々のセンサを別々の検知部ＰＳ，５８に適宜設置するように構成しても構わない。
【００５２】
即ち、ニオイセンサの出力からは、その出力が高いほどニオイの強度に関する汚れ度合いが高いと判定することができ、塵埃センサの出力からは、その出力が高いほど塵埃濃度に関する汚れ度合いが高いと判定することができ、温度センサの出力からは、その出力が高いほど温度に応じて変化する揮発有機化合物（ＶＯＣ）濃度に関する汚れ度合いが高いと判定することができ、更に、湿度センサの出力からは、その出力は湿度に応じて変化し、ある湿度以上では菌に対する汚れ度合い（菌の増殖し易さ）が高いと判定され、ある湿度以下ではウィルスに関する汚れ度合い（ウィルスの活性）が高いと判定することができる。
尚、温度が高くなるほどニオイが強く感じられることから、ニオイセンサの出力を温度により補正するというように、これらセンサ出力を他のセンサ出力で補正するように構成しても構わない。
【００５３】
そして、制御装置６０は、ステップ＃４において、このように判定した屋内空気の汚れ度合いに基づいて、ステップ＃５において、清浄ファン装置５４の出力を決定する。
具体的に、制御装置６０は、図３に示すように、夫々の検知部ＰＳ，５８で判定した屋内空気の汚れ度合いのうちの最も高い汚れ度合いに対して、その汚れ度合いが高くなるほど清浄ファン装置５４の出力が高くなるように、清浄ファン装置５４の出力を決定する。
よって、本体側検知部５８及び流通経路側検知部ＰＳの何れかにおいて、汚れている屋内空気の状態が検知された場合には、空気清浄装置５０における清浄ファン装置５４の出力が高くなり、その汚れた屋内空気のできるだけ多くが吸引して清浄されるので、その汚れた屋内空気が１階居室１から流通経路Ｐに沿って流出することが抑制される。
また、特に人が存在した場合において汚れた屋内空気の流出を抑制するために、検知部ＰＳ，５８に設けた光センサの出力（光強度）が高く人が存在すると推定される場合には、例えば検知部ＰＳ，５８の検知結果に対する汚れ度合いの判定閾値を低くして汚れ度合いを高めに判定することにより、清浄ファン装置５４の出力を高めに決定するように構成しても構わない。
【００５４】
更に、制御装置６０は、上記ステップ＃４において、検知部ＰＳ，５８の検知結果のみを用いて清浄ファン装置５４の出力を制御しても構わない。しかし、この制御装置６０は、汚れている屋内空気の流通経路Ｐに沿った流出を一層抑制するべく、その検知部ＰＳ，５８の検知結果に加えて、ステップ＃２で入力された夫々の排気部Ｏに設置された排気ファン装置ＯＦの運転状態、及び、ステップ＃３で入力されたドア開閉状態検知部ＤＳの検知結果に基づいて、清浄ファン装置５４の出力を制御するように構成されており、その構成について以下に説明を加える。
【００５５】
制御装置６０は、複数の排気部Ｏの夫々に設置された複数の排気ファン装置ＯＦの夫々の運転状態や、複数の流通経路Ｐの夫々に設置された複数のドアＤの夫々の開閉状態を参照して、複数の流通経路Ｐの夫々における屋内空気の風量を推定する。
【００５６】
具体的には、排気部Ｏに設置された排気ファン装置ＯＦの運転状態がＯＮ状態で、且つ、その排気ファン装置ＯＦに向かう流通経路Ｐに設置されたドアＤが開状態の場合には、その流通経路Ｐにおいて高風量で屋内空気が流通していると推定する。
また、排気部Ｏに設置された排気ファン装置ＯＦの運転状態がＯＮ状態で、且つ、その排気ファン装置ＯＦに向かう流通経路Ｐに設置されたドアＤが閉状態の場合には、その流通経路ＰにおいてドアＤの隙間から流通し得る分の中風量で屋内空気が流通していると推定する。
また、排気部Ｏに設置された排気ファン装置ＯＦの運転状態がＯＦＦ状態の場合には、その排気ファン装置ＯＦに向かう流通経路Ｐにおいて停止を含む低風量で屋内空気が流通していると推定する。
また、このように複数の流通経路Ｐの夫々における屋内空気の風量を推定すれば、複数の流通経路Ｐのうち、屋内空気が比較的高風量で流通している流通経路Ｐを推定することもできる。
【００５７】
そして、制御装置６０は、例えば、屋内空気の風量が低風量である流通経路Ｐに設置された流通経路側検知部ＰＳの検知結果を無効にして他の検知部５８，ＰＳを用いて屋内空気の汚れ度合いを判定したり、流通経路側検知部ＰＳの検知結果に対する汚れ度合いの判定閾値をその流通経路側検知部ＰＳが設置された流通経路Ｐにおける屋内空気の風量が高いほど低くする形態で調整するなどのように、流通経路側検知部ＰＳの検知結果に加えて、複数の排気ファン装置ＯＦの夫々の運転状態や、複数のドア開閉状態検知部ＤＳの夫々の検知結果をも用いて、屋内空気の汚れ度合いを判定し、その判定した屋内空気の汚れ度合いに基づいて清浄ファン装置５４の出力を決定する。
【００５８】
次に、清浄ファン装置５４の出力制御を行った制御装置６０は、１階居室１の汚れている屋内空気が、流通経路Ｐに沿って１階居室１から流出することを一層抑制するべく、検知部ＰＳ，５８の検知結果に基づいて、排気ファン装置ＯＦの出力を制御する。
具体的に、制御装置６０は、図３に示すように、検知部ＰＳ，５８の検知結果から判定した屋内空気の汚れ度合いが高くなるほど、排気ファン装置ＯＦの出力が低くなるように排気ファン装置ＯＦの出力を決定し、更には、上記排気ファン装置ＯＦの出力に追従させる形態で、空気清浄装置６０の給気ファン装置５３の出力も決定する。
よって、屋内空気の汚れ度合いが高い場合には、排気ファン装置ＯＦ及び給気ファン装置５４の出力が低くなり、流通経路Ｐにおける屋内空気の風量が低下するので、汚れた屋内空気が１階居室１から流通経路Ｐに沿って流出することが一層抑制される。
【００５９】
〔別実施形態〕
（１）上記実施の形態では、本発明に係る住宅換気システムを、排気部Ｏとして複数の排気部１３，１４，１６を設けた住宅１００に適用した構成について説明したが、当然、本発明に係る住宅換気システムを、排気部Ｏを１つだけ設けた住宅１００に対して適用しても構わない。
また、上記実施の形態では、排気部Ｏを、被給気室としての１階居室１とは別の室空間Ｒに設けたが、別に、この被給気室としての１階居室１にも排気部Ｏを設けても構わない。
【００６０】
（２）上記実施の形態では、検知部に、屋内空気の状態を検知するためのセンサを設けたが、別に、この検知部に、例えば火災センサや地震センサなどのような別のセンサを設けて、更には、このセンサの検知結果に基づいて警報を出力したり、排気ファン装置ＯＦの出力を制御するように構成しても構わない。
【００６１】
（３）上記実施の形態では、屋内空気の状態を検知する検知部として、屋内空気の流通経路Ｐに設置された流通経路側検知部ＰＳ以外に、空気清浄装置５０に設置され吸引される屋内空気の状態を検知する本体側検知部５８を設けたが、この本体側検知部５８を省略しても構わない。また、検知部として、本体側検知部５８や流通経路側検知部ＰＳとは別の検知部を設けても構わない。
【００６２】
（４）上記実施の形態では、流通経路側検知部ＰＳを、屋内空気の流通経路Ｐにおいて被給気室としての１階居室１の出口付近から排気部Ｏまでの領域に設置したが、別に、この流通経路側検知部ＰＳを、流通経路Ｐにおいて１階居室１の出口付近よりも上流側に設けても構わない。
【００６３】
（５）上記実施の形態では、空気清浄装置５０を、給気部１１に設置して、屋外空気と屋内空気との両方又は何れか一方を吸引して屋内に吹き出すように構成したが、別に、空気清浄装置５０を、屋内空気のみを吸引して清浄し屋内に吹き出すように構成しても構わず、また、このように構成した場合には、この空気清浄装置５０を、給気部１１に設置することなく、被給気室としての１階居室１の任意の位置に設置することができる。
【００６４】
（６）上記実施の形態では、排気部Ｏに排気ファン装置ＯＦを設け、給気部１１に給気ファン装置５３を設けて、これら排気ファン装置ＯＦと給気ファン装置５３とを運転することで、流通経路Ｐにおいて屋内空気を流通させるように構成したが、別に、給気部１１には給気ファン装置５３を省略して屋外空気の供給量を調整するダンパのみを設けるなどのように、これら排気ファン装置ＯＦと給気ファン装置５３の何れか一方を省略しても構わない。
【産業上の利用可能性】
【００６５】
本発明に係る住宅換気システムは、給気部により屋外空気を屋内に供給すると共に排気部により屋内空気を屋外に排出する形態で、その給気部から排気部に向かう屋内空気の流通経路を計画的に形成する計画換気構造を有する住宅内において、被給気室に設置された空気清浄装置の出力を適切に制御し、被給気室から汚れた屋内空気が排気部に向けて流出することを抑制することができる住宅換気システムとして有効に利用可能である。
【図面の簡単な説明】
【００６６】
【図１】住宅内に設置された住宅換気システムの概略構成図
【図２】住宅換気システムの制御フロー図
【図３】各種ファン装置の屋内空気の汚れ度合いに対する出力制御状態例を示す図
【符号の説明】
【００６７】
１：１階居室（被給気室）
１１，Ｉ：給気部
１３，１４，１６，Ｏ：排気部
２１，２２，２３，Ｐ：流通経路
３１，３３，３４，３６，ＰＳ：流通経路側検知部
４１，４２，４３，４４：ドア
５０：空気清浄装置
５８：本体側検知部
６０：制御装置（制御手段）
１００：住宅
ＯＦ：排気ファン装置
ＤＳ：ドア開閉状態検知部
【図１】
0004756975.tif 000002
【図２】
0004756975.tif 000003
【図３】
0004756975.tif 000004